(57)【特許請求の範囲】
【請求項１】
外ケースと内ケースとからなる釣り餌容器内に釣り餌を収納し、上記外ケースに対して上記内ケースを押し込み、上記外ケースに設けた押出口より内部に収納された釣り餌を押し出すための釣り餌押出装置であって、
上記外ケースに係合する外ケース係合部材と、上記内ケースに係合する内ケース係合部材と、上記内ケース係合部材と螺合して上記内ケース係合部材を移動させるネジ軸と、該ネジ軸を回転させるための摘み部と、上記内ケース係合部材の回転を係止する回転係止部材と、上記外ケース係合部材と上記内ケース係合部材と上記ネジ軸と上記回転係止部材とを支持する支持台とを備え、
上記外ケース係合部材、上記回転係止部材、上記支持台によりほぼコ字状の固定フレーム体を形成するとともに、上記ネジ軸は、上記外ケース係合部材と上記支持台に回転自在に保持され、
上記摘み部を介して上記ネジ軸を回転させることにより、上記内ケース係合部材は、上記回転係止部材によりその回転を係止されながら、上記外ケース係合部材との間隔を狭めることができるように構成したことを特徴とする釣り餌押出装置。
【請求項２】
外ケースと内ケースとからなる釣り餌容器内に釣り餌を収納し、上記外ケースに対して上記内ケースを押し込み、上記外ケースに設けた押出口より内部に収納された釣り餌を押し出すための釣り餌押出装置であって、
上記外ケースに係合する外ケース係合部材と、上記内ケースに係合する内ケース係合部材と、上記外ケース係合部材と螺合して上記外ケース係合部材を移動させるネジ軸と、該ネジ軸を回転させるための摘み部と、上記外ケース係合部材の回転を係止する回転係止部材と、上記外ケース係合部材と上記内ケース係合部材と上記ネジ軸と上記回転係止部材とを支持する支持台と、を備え、
上記内ケース係合部材を上記支持台と一体に構成し、
上記摘み部を介して上記ネジ軸を回転させることにより、上記外ケース係合部材は、上記回転係止部材によりその回転を係止されながら、上記内ケース係合部材との間隔を狭めることができるように構成したことを特徴とする釣り餌押出装置。
【請求項３】
外ケースと内ケースとからなる釣り餌容器内に釣り餌を収納し、上記外ケースに対して上記内ケースを押し込み、上記外ケースに設けた押出口より内部に収納された釣り餌を押し出すための釣り餌押出装置であって、
上記外ケースに係合する外ケース係合部材と、上記内ケースに係合する内ケース係合部材と、上記外ケース係合部材と螺合して上記外ケース係合部材を移動させるネジ軸と、該ネジ軸を回転させるための摘み部と、上記外ケース係合部材の回転を係止する回転係止部材と、上記外ケース係合部材と上記内ケース係合部材と上記ネジ軸と上記回転係止部材とを支持する支持台と、を備え、
上記内ケース係合部材を上記支持台と一体に構成するとともに、上記回転係止部材に上側支持台を取付けて、上記上側支持台、上記回転係止部材、上記支持台によりほぼコ字状の固定フレーム体を形成し、更に、上記ネジ軸は、上記上側支持台と上記支持台とにより回転自在に保持され、
上記摘み部を介して上記ネジ軸を回転させることにより、上記外ケース係合部材は、上記回転係止部材によりその回転を係止されながら、上記内ケース係合部材との間隔を狭めることができるように構成したことを特徴とする釣り餌押出装置。
【発明の詳細な説明】
【０００１】
【発明の属する技術分野】
本発明は、釣り餌を内部に収納した釣り餌容器から釣り餌を押し出すための釣り餌押出装置に関する。
【０００２】
【従来の技術】
従来から、釣り餌として、いわゆる「うどん」と呼ばれる練り餌が使用されている。この「うどん」と呼ばれる釣り餌は、一方側がカップ状に開口し、他方側に釣り餌を取り出す押出口を備えた外ケースと、上記開口側からはめ込まれる内ケースとからなる容器の内部に収納され、外ケースと内ケースとの間隔を圧縮することにより、外ケースの押出口より必要量ずつ取り出されて使用されるようになっている。
【０００３】
【発明が解決しようとする課題】
この釣り餌は、従来においては、釣り餌容器を適当な場所に置いておき、内ケースに対して外ケースを手で押して使用されるようになっているが、その取り扱いが煩わしく、また、多量の釣り餌を内部に収納した状態では、上記釣り餌容器の構造では、重心位置が高くなるため、容器の姿勢が安定せず、倒れやすく、その取り扱いが非常に煩わしいという問題があった。
【０００４】
そこで本発明は、簡単な構成の釣り餌押出装置を提案することにより、釣り餌容器を保持することができ、その取り扱いを非常に簡単にすることのできる釣り餌押出装置を提案することを目的とする。
【０００５】
【課題を解決するための手段】
上記課題を解決するため、本発明における釣り餌押出装置は、釣り餌容器を構成する外ケースに係合する外ケース係合部材と、釣り餌容器を構成する内ケースに係合する内ケース係合部材と、上記内ケース係合部材と螺合して上記内ケース係合部材を移動させるネジ軸と、該ネジ軸を回転させるための摘み部と、上記内ケース係合部材の回転を係止する回転係止部材と、上記外ケース係合部材と上記内ケース係合部材と上記ネジ軸と上記回転係止部材とを支持する支持台とを備え、上記外ケース係合部材、上記回転係止部材、上記支持台によりほぼコ字状の固定フレーム体を形成するとともに、上記ネジ軸は、上記外ケース係合部材と上記支持台に回転自在に保持され、上記摘み部を介して上記ネジ軸を回転させることにより、上記内ケース係合部材は、上記回転係止部材によりその回転を係止されながら、上記外ケース係合部材との間隔を狭めることができるように構成したことを特徴とする。
【０００６】
上記本発明の釣り餌押出装置によれば、ネジ軸を回転させるだけの動作によって、外ケースに対して内ケースを押し込むことができ、ケース内の釣り餌を容易に押し出すことができる。また、その操作は、ネジ軸を回転させるだけでよいから、片手のみの操作でも可能となり、また、釣り餌容器は、上記外ケース係合部材と上記内ケース係合部材とにより保持されることになるから、釣り餌を入れた時の釣り餌容器の重心位置が高くても倒れるようなことは殆ど生じなくなるようにすることができる。また、上記本発明においては、上記外ケース係合部材を上記回転係止部材により前記支持台に対して固定位置に保持してほぼコ字状の固定フレーム体を形成するとともに、上記内ケース係合部材を前記ネジ軸と螺合させて移動可能とするように構成しているから、上記外ケース係合部材と回転係止部材とを、支持台の機能である固定フレームの一部として用いることができ、簡略化した構成でありながら、その構成を堅固なものとすることができる。このとき、上記内ケース係合部材は、上記回転係止部材によりその回転を係止されているので、確実に上記外ケース係合部材との間隔を狭めることができる。また、上記本発明においては、ネジ軸に該ネジ軸を回転させるための摘み部を設け、外ケース係合部材と前記支持台とにより前記ネジ軸を回転自在に支持するように構成しているので、ネジ軸の回転をより容易に行うことができる。
【０００７】
また、他の本発明における釣り餌押出装置は、釣り餌容器を構成する外ケースに係合する外ケース係合部材と、釣り餌容器を構成する内ケースに係合する内ケース係合部材と、上記外ケース係合部材と螺合して上記外ケース係合部材を移動させるネジ軸と、該ネジ軸を回転させるための摘み部と、上記外ケース係合部材の回転を係止する回転係止部材と、上記外ケース係合部材と上記内ケース係合部材と上記ネジ軸と上記回転係止部材とを支持する支持台とを備え、上記内ケース係合部材を上記支持台と一体に構成し、上記摘み部を介してネジ軸を回転させることにより、上記外ケース係合部材は、上記回転係止部材によりその回転を係止されながら、上記内ケース係合部材との間隔を狭めることができるように構成したことを特徴とする。
【０００８】
上記本発明の釣り餌押出装置によれば、前述の釣り餌押出装置と同様、ケース内の釣り餌を容易に押し出すことができる。また、上記本発明においては、上記内ケース係合部材を前記支持台と一体に構成し、上記外ケース係合部材を、摘み部が設けられた前記ネジ軸と螺合させて移動可能とし、且つ、前記回転係止部材に係合させるように構成しているから、釣り餌収納容器の外ケースは、徐々に下降してゆくこととなり、釣り餌収納容器の重心位置は徐々に下降することになり、姿勢を安定させることができる。
【０００９】
また、更に他の本発明における釣り餌押出装置は、釣り餌容器を構成する外ケースに係合する外ケース係合部材と、釣り餌容器を構成する内ケースに係合する内ケース係合部材と、上記外ケース係合部材と螺合して上記外ケース係合部材を移動させるネジ軸と、該ネジ軸を回転させるための摘み部と、上記外ケース係合部材の回転を係止する回転係止部材と、上記外ケース係合部材と上記内ケース係合部材と上記ネジ軸と上記回転係止部材とを支持する支持台とを備え、上記内ケース係合部材を上記支持台と一体に構成するとともに、上記回転係止部材に上側支持台を取付けて、上記上側支持台、上記回転係止部材、上記支持台によりほぼコ字状の固定フレーム体を形成し、更に、上記ネジ軸は、上記上側支持台と上記支持台とにより回転自在に保持され、上記摘み部を介して上記ネジ軸を回転させることにより、上記外ケース係合部材は、上記回転係止部材によりその回転を係止されながら、上記内ケース係合部材との間隔を狭めることができるように構成したことを特徴とする。
【００１０】
上記本発明においては、前述の釣り餌押出装置と同様、ケース内の釣り餌を容易に押し出すことができる。また、上記本発明においては、内ケース係合部材を支持台と一体に構成し、上記回転係止部材に上側支持台を取付け、前記ネジ軸に該ネジ軸を回転させるための摘み部を設け、上記内ケース係合部材と上記上側支持台とにより前記ネジ軸を回転自在に支持し、前記外ケース係合部材を前記ネジ軸と螺合させて移動可能とするとともに上記回転係止部材に係合させるように構成しているから、上側にも支持台が設けられることになり、全体構成を堅固にしながら釣り餌収納容器の外ケースを徐々に下降してゆく態様とすることができる。
【００１１】
【発明の実施の形態】
以下、本発明の実施の形態を図面に基づいて詳細に説明する。
【００１２】
図１は、本発明を適用した釣り餌押出装置の平面図、図２は、容器内に釣り餌を収納し、その容器を本発明における釣り餌押出装置に取り付けた状態を示す側面図、図３は、釣り餌押出装置の使用状態の一例を示す側面図である。
【００１３】
図において、１は、本発明の釣り餌押出装置が扱う釣り餌容器であり、一方側がカップ状に開口し、他方側に釣り餌が押し出される押出口２ａを備えた断面円形の外ケース２と、上記開口側からはめ込まれる断面円形の内ケース３とから構成され、外ケース２と内ケース３との間に「うどん」と呼ばれる非固形の釣り餌４が収納される。外ケース２の下部には、半径方向に突出形成された鍔部２ｂが形成されているとともに、内ケース３の下部にも半径方向に突出形成された鍔部３ａが形成されている。
【００１４】
上記釣り餌容器１が取り付け保持される釣り餌押出装置は、上記外ケース２の鍔部２ｂに上側より係合する二又状の外ケース係合部１１を有する外ケース係合部材１２と、上記内ケース３の鍔部３ａを含む底面部が載せられる、即ち、上記内ケース３に係合する内ケース係合部材１３と、上記外ケース係合部材１２と内ケース係合部材１３とのいずれか一方と螺合するネジ軸１４と、上記外ケース係合部材１２と内ケース係合部材１３とのうち上記ネジ軸と螺合する側の係合部材の回転を係止する回転係止部材となるガイド軸１５と、上記外ケース係合部材１２と上記内ケース係合部材１３と上記ネジ軸１４と上記回転係止部材１５とを支持する支持台１６とから概略構成される。
【００１５】
上記支持台１６は、本発明における釣り餌押出装置全体を支持するための支持フレームであり、この支持台１６にはガイド軸１５が植設固定され、該ガイド軸１５の先端に上記外ケース係合部材１２が固定されていることによって、側面から見てほぼコ字状の固定フレーム体が構成されている。
【００１６】
上記ガイド軸１５によって結合された上記外ケース係合部材１２と支持台１６との間には、ネジ軸１４が回転自在に保持されている。ネジ軸１４の上端には該ネジ軸１４を回転させるための摘み２０が固着され、摘み２０を回すことによりネジ軸１４を所定方向に回転させることができる。ネジ軸１４の下端部は、支持台１６に、回転可能かつ抜け止めされた状態で取り付けられている。
【００１７】
上記ネジ軸１４には、内ケース係合部材１３が筒部１７内に形成されたネジ部によって、若干の遊びがあるようにネジ結合されており、また、内ケース係合部材１３にはガイド軸１５が挿通されるガイド孔１８が、上記ガイド軸１５と若干の遊びがあるように形成され、内ケース係合部材１３とガイド軸１５とは軸方向へのスライド移動は可能であるが、内ケース係合部材１３が上記ネジ軸１４を中心としては回動しないように規制されている。
【００１８】
従って、摘み２０を回すことによりネジ軸１４は所定方向に回転するが、ネジ軸１４とネジ結合している内ケース係合部材１３はガイド軸１５と係合していることにより、ネジ軸１４を中心としては回転せず、内ケース係合部材１３はネジ軸１４の回転方向によって上下の軸方向に移動することになる。
【００１９】
このとき、上記ネジ軸１４と内ケース係合部材１３とのネジ結合は、若干のガタ（遊び）を有するように構成され、また、内ケース係合部材１３に設けたガイド孔１８とガイド軸１５との係合も、ガイド孔１８の大きさをガイド軸１５よりも若干大きめに形成することによって、軸方向に若干のガタ（遊び）を有するように構成されている。
【００２０】
このように内ケース係合部材１３とネジ軸１４及びガイド軸１５との間で、軸方向のガタ（遊び）を有するように構成しておけば、ネジ軸１４によって内ケース係合部材１３を押し上げた後、逆方向に回転させれば、万一、内ケース係合部材１３とネジ軸１４及びガイド軸１５との間で、引っかかり現象のようなカジリを生じた場合でも、内ケース係合部材１３とネジ軸１４及びガイド軸１５との間にガタ（遊び）があることにより、その現象を容易に解除して内ケース係合部材１３を下降させることができる。このことは、釣り餌を所定量ずつ押し出すようにするために、内ケース係合部材１３を所定量押し上げた後に逆回転させることにより、内ケース係合部材１３の内ケース３に対する押圧を確実に解除させるのに有効である。
【００２１】
以上のように構成された本発明における釣り餌押出装置において、外ケース２と内ケース３との間に釣り餌４を入れ、内ケース係合部材１３の上に載せると、例えば、図２に示す状態となる。このとき、外ケース係合部材１２に固定されている外ケース係合部１１は、その内周面が半円形状に形成されているから、外ケース２の外周面を、図１に示すように、上記外ケース係合部１１の半円形状の内周面に沿うように載置すれば、外ケース２の鍔部２ｂと外ケース係合部１１とを軸方向において、係合可能な位置関係とすることができる。
【００２２】
この状態において、摘み２０を回すと、内ケース係合部材１３を、ネジ軸１４とのネジ結合部を介して上昇させることができる。内ケース係合部材１３が上昇すると、内ケース３とともに外ケース２も上昇し、外ケース２の鍔部２ｂと上記外ケース係合部１１が係合し、上記外ケース係合部１１によって外ケース２のそれ以上の上昇は制限される。その後、更に摘み２０を回せば、内ケース３のみが上昇することとなるから、外ケース２の上端に設けた押出口２ａから釣り餌４を押し出すことができる。そして、釣り餌４の必要な時に、摘み２０を回せば、その都度釣り餌４を押出口２ａから押し出すことができ、最終的には、図３に示すように、釣り餌４を最後まで、摘み２０を回すだけで押し出し、使用することができる。
【００２３】
上記実施の形態においては、内ケース係合部材１３を上下動させるように構成したが、内ケース係合部材１３を固定しておき、外ケース係合部材１２を上下動するようにネジ軸１４と螺合させるようにしてもよい。この場合、内ケース係合部材１３は固定状態となるから、支持台１６と一体化・兼用することができ、一枚のプレートにより構成することができる。また、この場合に、ガイド軸１５の上端に、下側の支持台に対向する上側支持台を固着して設けておくことが、装置全体の強度を向上させるためには好ましいが、上側支持台は省略することもできる。
【００２４】
上記のように内ケース係合部材１３を上下動させる実施の形態に対して、外ケース係合部材１２を上下動させるようにすれば、下側の支持台１６（内ケース係合部材１３と兼用）に内ケース３が載せられ、釣り餌４の使用に伴って外ケース２が上側から下側に下降してゆく使用形態となるから、前述の釣り餌４の使用に伴って内ケース３が下側から上側に徐々に上昇してゆく使用形態と比較して、その使用状態・姿勢をより安定したものとすることができる。
【００２５】
以上、本発明の実施の形態について説明したが、本発明は図示の実施例に限定されるものではなく、その形状や構成等について、本発明の要旨から逸脱しない範囲で、種々変更することが可能である。
【００２６】
例えば、上記実施の形態においては、外ケース係合部材１２と内ケース係合部材１３との一方を上下動させるように構成したが、上記１本のネジ軸に２つの方向の異なるネジ部を形成しておけば、外ケース係合部材１２を下側に、内ケース係合部材１３を上側に、或いはその逆に同時に移動させることができる。このように、外ケース係合部材１２と内ケース係合部材１３とを同時にスライドさせるようにしておけば、一方のみがスライドする場合と比較して摘み２０の回転量を半分にすることができる。
【００２７】
【発明の効果】
以上説明したように、請求項１記載の釣り餌押出装置は、外ケースと内ケースとからなる釣り餌容器を用いる釣り餌押出装置であって、上記外ケースに係合する外ケース係合部材と、上記内ケースに係合する内ケース係合部材と、上記内ケース係合部材と螺合して上記内ケース係合部材を移動させるネジ軸と、該ネジ軸を回転させるための摘み部と、上記内ケース係合部材の回転を係止する回転係止部材と、上記外ケース係合部材と上記内ケース係合部材と上記ネジ軸と上記回転係止部材とを支持する支持台とを備え、上記外ケース係合部材、上記回転係止部材、上記支持台によりほぼコ字状の固定フレーム体を形成するとともに、上記ネジ軸は、上記外ケース係合部材と上記支持台に回転自在に保持され、上記摘み部を介して上記ネジ軸を回転させることにより、上記内ケース係合部材は、上記回転係止部材によりその回転を係止されながら、上記外ケース係合部材との間隔を狭めることができるように構成したものであるから、上記ネジ軸を回転させるだけの動作によって、釣り餌容器の外ケースに対して内ケースを押し込むことができ、ケース内の釣り餌を容易に押し出すことができる。
【００２８】
また、本発明の釣り餌押出装置においては、上記外ケース係合部材は、上記回転係止部材により上記支持台に対して固定位置に保持され、上記内ケース係合部材を上記ネジ軸と螺合させて移動可能としたものであるから、外ケース係合部材と回転係止部材とを支持台の機能であるフレームの一部として用いることができ、簡略化した構成でありながら、その構成を堅固なものとすることができる。
【００２９】
また、本発明の釣り餌押出装置においては、上記ネジ軸に該ネジ軸を回転させるための摘み部が設けられ、上記外ケース係合部材と上記支持台とにより上記ネジ軸を回転自在に支持したものであるから、上記ネジ軸の回転操作が容易であるとともに上記ネジ軸の支持も安定したものとなる。
【００３０】
また、請求項２記載の釣り餌押出装置は、前記内ケース係合部材を前記支持台と一体に構成し、前記外ケース係合部材を摘み部が設けられた前記ネジ軸と螺合させて移動可能とするとともに前記回転係止部材に係合させるようにしたものであるから、上記外ケース係合部材を下降させて用いることになり、その結果、釣り餌収納容器の外ケースは、徐々に下降してゆく動作となり姿勢を安定させることができる。
【００３１】
また、請求項３記載の釣り餌押出装置は、上記内ケース係合部材を前記支持台と一体に構成し、前記回転係止部材に上側支持台を取付け、前記ネジ軸に該ネジ軸を回転させるための摘み部を設け、前記内ケース係合部材と上記上側支持台とにより前記ネジ軸を回転自在に支持し、前記外ケース係合部材を前記ネジ軸と螺合させて移動可能とするとともに上記回転係止部材に係合させるようにしたものであるから、上側にも支持台が設けられることになり、全体構成を堅固にしながら釣り餌収納容器の外ケースを徐々に下降してゆく態様とすることができる。
【図面の簡単な説明】
【図１】本発明における釣り餌押出装置の平面図である。
【図２】容器内に釣り餌を収納し、その容器を本発明における釣り餌押出装置に取り付けた状態を示す側面図である。
【図３】図２と異なる使用状態の一例を示す本発明の釣り餌押出装置の側面図である。
【符号の説明】
１  釣り餌容器
２  外ケース
２ａ  押出口
２ｂ  鍔部
３  内ケース
４  釣り餌
１１  外ケース係合部
１２  外ケース係合部材
１３  内ケース係合部材
１４  ネジ軸
１５  ガイド軸（回転係止部材）
１６  支持台
２０  摘み
【図１】
0003811642.tif 000002
【図２】
0003811642.tif 000003
【図３】
0003811642.tif 000004